(57)【要約】【課題】冷蔵庫の下部から容易に持ち上げて取り出すことができ、かつ、液体をスムーズに注出できる収納容器の蓋を提供する。【解決手段】後縁４Ｂ側に固定の第１ハンドル部１を有する主蓋体４と、主蓋体４に枢着されて上方起立状態と後方折畳状態に揺動切替自在のアーチ型の第２ハンドル部２と、主蓋体４に枢着された副蓋体５とを、備え、副蓋体５は、主蓋体４の前後中間位置に枢着され、前方へ倒した施蓋状態から水平面に対し略鉛直姿勢まで起立した開蓋状態Ｐ１に揺動開閉自在としている。【選択図】図２
2017056968.tif 000002
【特許請求の範囲】
【請求項１】
後縁（４Ｂ）側に固定の第１ハンドル部（１）を有する主蓋体（４）と、該主蓋体（４）に枢着されて上方起立状態（Ｍ１）と後方折畳状態（Ｍ０）に揺動切替自在のアーチ型の第２ハンドル部（２）と、上記主蓋体（４）に枢着された副蓋体（５）とを、備え、
上記副蓋体（５）は、上記主蓋体（４）の前後中間位置に枢着され、前方へ倒した施蓋状態（Ｐ０）から水平面に対し略鉛直姿勢まで起立した開蓋状態（Ｐ１）に揺動開閉自在としたことを特徴とする収納容器の蓋。
【請求項２】
上記第２ハンドル部（２）の枢着軸心（Ｌ１）と上記副蓋体（５）の枢着軸心（Ｌ２）は、同一軸心上に配設されている請求項１記載の収納容器の蓋。
【請求項３】
上記主蓋体（４）の前縁（４Ａ）側には、注ぎ口（３）が内設された上方突出状に注ぎ用短筒部（８）が形成され、かつ、該短筒部（８）の後方外端面に突き当たるように配設され上記副蓋体（５）を開く方向に弾発付勢する弾性帯体（７）を備え、上記施蓋状態（Ｐ０）で、上記短筒部（８）と横倒Ｕ字状の上記弾性帯体（７）が、上記副蓋体（５）の内側に収納され、
上記施蓋状態（Ｐ０）の上記副蓋体（５）の上端面（１５）と、上記主蓋体（４）の上端面（１４）と、上記後方折畳状態（Ｍ０）の上記第２ハンドル部（２）の上端面（１２）が、水平面に対し傾斜角度（α）で後方下傾状として同一面状に配設されている請求項１又は２記載の収納容器の蓋。
【発明の詳細な説明】
【技術分野】
【０００１】
本発明は、収納容器の蓋に関する。
【背景技術】
【０００２】
従来、後縁側に垂下状のハンドルを一体に備えた蓋を、容器の開口部に螺着して、冷たい水やお茶等の液体を収容する収納容器が知られている（特許文献１参照）。
【先行技術文献】
【特許文献】
【０００３】
【特許文献１】特開２００９−１３２４２０号公報
【発明の概要】
【発明が解決しようとする課題】
【０００４】
特許文献１記載の収納容器は、冷蔵庫の中間高さに設けられた両開きのドアの内側に収納する場合には、後縁側のハンドルを把持して取り出すことができ至便であるが、しかし、冷蔵庫の下部に配設された引出し式の収納室に収納した場合には、後縁側のハンドルには手が届きにくく、蓋の上部に形成された注出蓋支持部を掴むにも、指を掛けて持ち上げるのが難しく扱いにくかった。また、注出蓋支持部の下側に空間を設けた分だけ蓋の高さ寸法が大きくなり、冷蔵庫の両開きのドアに収納する際、その高さが邪魔になるという欠点があった。しかも、副蓋体は、注ぎ口を閉じた施蓋状態から僅かに上方に回動して開蓋状態となって、収納容器を大きく傾けた場合には、副蓋体が邪魔になって液体をスムーズに注出できなかった。
【０００５】
そこで、本発明は、冷蔵庫の下部から容易に持ち上げて取り出すことができ、かつ、液体をスムーズに注出できる収納容器の蓋を提供することを目的とする。
【課題を解決するための手段】
【０００６】
本発明に係る収納容器の蓋は、後縁側に固定の第１ハンドル部を有する主蓋体と、該主蓋体に枢着されて上方起立状態と後方折畳状態に揺動切替自在のアーチ型の第２ハンドル部と、上記主蓋体に枢着された副蓋体とを、備え、上記副蓋体は、上記主蓋体の前後中間位置に枢着され、前方へ倒した施蓋状態から水平面に対し略鉛直姿勢まで起立した開蓋状態に揺動開閉自在としたものである。
【０００７】
また、上記第２ハンドル部の枢着軸心と上記副蓋体の枢着軸心は、同一軸心上に配設されているものである。
また、上記主蓋体の前縁側には、注ぎ口が内設された上方突出状に注ぎ用短筒部が形成され、かつ、該短筒部の後方外端面に突き当たるように配設され上記副蓋体を開く方向に弾発付勢する弾性帯体を備え、上記施蓋状態で、上記短筒部と横倒Ｕ字状の上記弾性帯体が、上記副蓋体の内側に収納され、上記施蓋状態の上記副蓋体の上端面と、上記主蓋体の上端面と、上記後方折畳状態の上記第２ハンドル部の上端面が、水平面に対し傾斜角度で後方下傾状として同一面状に配設されているものである。
【発明の効果】
【０００８】
本発明に係る収納容器の蓋によれば、冷蔵庫の下部に配設された引出し式の収納室に収納した場合であっても、第２ハンドル部を上方起立状態として把持して、容易に取り出すことができる。また、第２ハンドル部を使用しないときは、後方折畳状態とすれば邪魔になることもない。副蓋体が開蓋状態で、略鉛直姿勢まで上方へ起立して、スムーズに液体を注出できる。
【図面の簡単な説明】
【０００９】
【図１】本発明の実施の一形態を示した斜視図である。
【図２】本発明の実施の一形態を示した斜視図である。
【図３】本発明の実施の一形態を示した分解斜視図である。
【図４】本発明の収納容器の蓋の側面図である。
【図５】本発明の収納容器の蓋の側面図である。
【図６】本発明の収納容器の蓋の平面図である。
【図７】本発明の収納容器の蓋の側面図であり、（Ａ）は断面側面図であり、（Ｂ）は弾性帯体に生じる応力を示す側面図である。
【図８】本発明の収納容器の蓋の断面側面図である。
【発明を実施するための形態】
【００１０】
以下、実施の形態を示す図面に基づき本発明を詳説する。
図１〜図６に示すように、本発明の収納容器の蓋は、後縁４Ｂ側に固定の第１ハンドル部１を一体に有する主蓋体４と、主蓋体４に枢着されて上下揺動自在のアーチ型の第２ハンドル部２と、主蓋体４に枢着された副蓋体５とを、備えている。
本発明に係る収納容器の蓋は、容器本体２０の上端外周面のネジ部に螺着されて使用される。容器本体２０には主に水やお茶やジュース等の液体を収納し、あるいは、小麦粉やシリアル、フレーク等の粉体を収納しても良い（図示省略）。
【００１１】
主蓋体４は、例えば、ＰＰやＡＢＳ等の合成樹脂から成り、平面視円形状の蓋本体部２８を有し、蓋本体部２８に上方突出状の低突隆部１１が形成されている。低突隆部１１の前縁側には、左右一対の枢支壁２９，２９を有し、枢支壁２９，２９には、軸差込み用の孔部が左右方向に貫設されている。主蓋体４の前半部には、注ぎ口３が内設された上方突出状に注ぎ用短筒部８が形成され、また、注ぎ口３は、主蓋体４の（天井壁の）前縁４Ａ近傍に配設され、短筒部８の前端壁部８Ａは主蓋体４の前縁４Ａに在って、弯曲しつつ上方前傾状として、液体を注ぎ易いように形成されている。さらに、この短筒部８は、側面視、後方へ傾斜すると共に、後端壁部８Ｂは、背が低く略水平状上端面を有し、この後端壁部８Ｂの一部を肉厚として、小径の通気孔６が上下に貫設されている。また、蓋本体部２８の前縁４Ａ側外周面には、爪部１６が突設されている。主蓋体４の後半部には、主蓋体４の天井壁上面と低突隆部１１の後縁側の円弧状外周面によって、第２ハンドル収納用切欠部３０が形成されている。切欠部３０は、横断面矩形状であって、全体がアーチ型に形成され、低突隆部１１と第１ハンドル部１の間に、第２ハンドル部２を収納するための隙間が形成されている。なお、低突隆部１１の上面と第１ハンドル部１の上面は、同一面状に配設されている。
【００１２】
図６に示すように、第２ハンドル部２は、蓋本体部２８の約半円周分の大きさの半円弧状（アーチ型）に形成され、両端部の内面に内方へ向けて軸部１９，１９が突設されている。第２ハンドル部２は、枢支壁２９，２９の孔部に軸部１９，１９を差し込んで枢着されている。軸部１９，１９は、枢支壁２９，２９を貫通して先端が内側対向面に突出している。なお、枢支壁２９，２９には、軸逃がし切欠部３１，３１が形成され、第２ハンドル部２を弾性変形させて拡開しつつ、軸部１９，１９を孔部に差し込めるよう構成されている。
図５に示すように、第２ハンドル部２は、図中２点鎖線で示す上方起立状態Ｍ１と、後方に倒れた後方折畳状態Ｍ０に、揺動切替自在として構成されている。上方起立状態Ｍ１で、第２ハンドル部２は、水平面に対し略鉛直姿勢まで上方へ起立し、後方折畳状態Ｍ０で、第２ハンドル部２がアーチ型の切欠部３０に収納され、第２ハンドル部２は、ほぼ水平状まで後方に倒れた姿勢となる。なお、第１ハンドル部１の上面には、切欠部３０に連通する平面視半円状の指入れ用の凹部３５が形成され（図６参照）、切欠部３０に収納された第２ハンドル部２を指で容易に起立できるよう構成されている。
【００１３】
副蓋体５は、例えば、ＥａｓｔｍａｎＴｒｉｔａｎコポリエステル（登録商標）によって構成され、全体が透明である。副蓋体５は、高い透明度と光沢を兼ね備えた美しい外観を備えると共に、デザイン性、容易な加工特性を有し、さらに、耐熱性・耐冷性に優れ、かつ、頑丈で高強度に形成されている。副蓋体５の前縁側外周面は、平面視円弧状であって、蓋本体部２８の約半円周分の大きさに形成されている。
図４と図６に示すように、副蓋体５は、主蓋体４の前後中間位置に枢着され、前方へ倒した施蓋状態Ｐ０から、水平面に対し略鉛直姿勢まで起立した開蓋状態Ｐ１に揺動開閉自在として構成されている。施蓋状態Ｐ０から開蓋状態Ｐ１までの副蓋体５の（軸心Ｌ１廻りの）揺動角度を、開閉角度θとすると、この開閉角度θを、８０°〜１１０°に設定するのが好ましい。開閉角度θが、８０°未満であると、注ぎ口３から液体をスムーズに注出できない虞れがあり、１１０°を超えると、副蓋体５を開く際に大きな回転モーメントが必要となり好ましくない。なお、主蓋体４の前後中間位置とは、主蓋体４の円形部分（蓋本体部２８）の直径をＤとすると、前後方向中央線Ｃの前後合わせて０．３Ｄの幅寸法Ｗを有する帯状領域Ｅとする。
副蓋体５は、主蓋体４の爪部１６に係止可能な係止舌片３２が前端縁に設けられている。副蓋体５は、施蓋状態Ｐ０で、係止舌片３２が爪部１６に係止して停止保持される。図６に示す平面視に於て、主蓋体４と、施蓋状態Ｐ０の副蓋体５と、後方折畳状態Ｍ０の第２ハンドル部２とが、全体として（係止舌片３２を除いて）円形になるように形成されている。
【００１４】
図６に示すように、第２ハンドル部２の枢着軸心Ｌ１と副蓋体５の枢着軸心Ｌ２は、同一軸心上に配設されている。
副蓋体５は、軸受部２３，２３が、枢支壁２９，２９の内方に突出する軸部１９，１９の先端に嵌着されている。言い換えると、第２ハンドル部２と副蓋体５は、軸部１９，１９を共用し、同一軸心上の枢着軸心Ｌ１，Ｌ２廻りに揺動自在として枢着される。この構成により、部品点数が少なくなって、構造を簡素化できると共に、枢支壁２９，２９に枢結軸を一体形成する場合に比べて、主蓋体４の金型を容易に成形できる利点がある。
主蓋体４と、第２ハンドル部２と、副蓋体５とは、分離組付自在であって、取外して別々に洗浄することができ、取付ける際も、迅速かつ容易に組み立てることができる。
【００１５】
図２と図７に示すように、副蓋体５を開く方向に弾発付勢する弾性帯体７を備え、弾性帯体７は、長手方向一端部７ａが短筒部８の後端面に突き当たるように配設されている。
弾性帯体７は、例えば、シリコン樹脂やエラストマー等の弾性材から成り、注ぎ口３を施蓋する第１栓部１７と、通気孔６を施蓋する第２栓部１８とを、一体に有している。弾性帯体７は、第１栓部１７と第２栓部１８を繋ぐ連結帯状部１３よりも厚さ寸法が増大するよう形成された厚肉片部３３を、一端部７ａ寄りに有している。厚肉片部３３の厚さ寸法ｔは、３ｍｍ〜６ｍｍに設定され、第１栓部１７と第２栓部１８を除く厚肉片部３３以外の部分（連結帯状部１３）の厚さ寸法ｔ０を１．０ｍｍ〜２．５ｍｍに設定するのが好ましく、厚肉片部３３は比較的分厚く形成されている。
【００１６】
図７に示すように、副蓋体５が閉じた施蓋状態Ｐ０で、弾性帯体７（厚肉片部３３）は、横倒Ｕ字状に弯曲し、弯曲内面は上下当接せず、前方（図７の左方向）に開口状を保っている。図７（Ｂ）に示すように、弾性帯体７（厚肉片部３３）には、図中矢印Ｙ１にて示す弯曲内層側の弾性圧縮応力、及び、矢印Ｙ２にて示す弯曲外層側の弾性引張応力が生じている。弾性帯体７は、Ｕ字状に弯曲させることで、弾性圧縮応力及び弾性引張応力による曲げ復元モーメントＭを発生し、副蓋体５を上方へ開く方向に弾発付勢するように構成されている。
【００１７】
図８に示すように、副蓋体５が上方起立状の開蓋状態Ｐ１では、弾性帯体７は、厚肉片部３３が伸びきった姿勢には復元せずに、Ｊ字状弯曲姿勢で弾性圧縮応力及び弾性引張応力が残留しており、小さいながらも曲げ復元モーメントＭを発生し続けている。言い換えると、弾性帯体７は、開蓋状態Ｐ１に於て、復元力に余力を残している。
【００１８】
図３に示すように、弾性帯体７は、副蓋体５に対し着脱自在であって、容易に取外して洗浄することができ、取付けも容易に行える。副蓋体５には、弾性帯体７を嵌着するための取付孔部２１が貫設され、かつ、内面に取付ピン２２が立設されている。さらに、副蓋体５には、弾性帯体７の一端部７ａを前方に弯曲させる弯曲ガイド部２５が形成されている。
弾性帯体７は、取付孔部２１に嵌着可能なキノコ型の嵌入凸部２６を第１栓部１７に対応して配設し、第２栓部１８内には、取付ピン２２が差込まれる差込凹部２７が形成されている。弾性帯体７の一端部７ａには、半円状の凹部９を有している。弾性帯体７は、取付ピン２２を差込凹部２７に差込むと共に、嵌入凸部２６を取付孔部２１に嵌め込んで、副蓋体５に取着される。このとき、弾性帯体７は、弯曲ガイド部２５に当接して、一端部７ａを前方に向けて弯曲する。次に、副蓋体５を、主蓋体４の上方から押し付けて、軸受部２３，２３を軸部１９，１９に外嵌する。副蓋体５の軸受部２３，２３が（弾性変形しつつ）軸部１９，１９に対しパチンと音を立てながら嵌着される。図２に示すように、主蓋体４に上方から副蓋体５を取り付けることで、前方弯曲状の弾性帯体７の一端部７ａが短筒部８の後端面に突き当る。つまり、副蓋体５に弾性帯体７を取着し、次に、副蓋体５を主蓋体４の上方から軸部１９，１９に嵌着するのと同時に、弾性帯体７が短筒部８の後端壁部８Ｂに突き当たってＪ字状弯曲姿勢となる。従って、主蓋体４に対する副蓋体５の取付けがワンタッチで完了する。
【００１９】
図７と図８に示すように、副蓋体５を施蓋状態Ｐ０へ閉じると、弾性帯体７が開蓋状態Ｐ１のＪ字状弯曲姿勢から横倒Ｕ字状の弯曲姿勢に弾性変形する。弾性帯体７は、副蓋体５の枢着軸心Ｌ２近傍の狭い範囲（厚肉片部３３）で局部的に弾性変形し、弯曲内層側の弾性圧縮応力及び弯曲外層側の弾性引張応力による曲げ復元モーメントＭを発生して、副蓋体５に上方へ開く力を付勢している。即ち、副蓋体５は、枢着軸心Ｌ２に近い位置で、弾性帯体７による上方への曲げ復元モーメントＭを受ける。このため、弾性帯体７の上記復元モーメントＭは、上記枢着軸心Ｌ２廻りの上方への回転モーメントとして有効に働く。また、弾性帯体７の肉厚や大きさを無用に大きく設定せずに済む利点がある。また、副蓋体５は、主蓋体４（蓋本体部２８）の約半分の大きさであるため、副蓋体５を枢着軸心Ｌ２廻りに上方に回転させる慣性モーメントが小さく、副蓋体５を開く際に弾性帯体７が副蓋体５に与えるべき弾性エネルギー（曲げ復元モーメントＭ）は少なくて済む。弾性帯体７が副蓋体５に曲げ復元モーメントＭを付勢する際に、弾性帯体７の一端部７ａが短筒部８に突き当たって固定され、弾性帯体７の一端部７ａが前方に逃げることなく、副蓋体５に曲げ復元モーメントＭを確実に付与することが可能となる。
【００２０】
図８に示すように、主蓋体４は、大きく開口する注ぎ口３の後方に、小さく開口する通気孔６が接近して配置されており、通気孔６は、吸入小筒部１０の内周面によって形成されている。吸入小筒部１０は下方突出状として、短筒部８の後端部に一体に形成され、下端部が大きく垂下状となるように設けられている。この構成により、弾性帯体７の第１栓部１７と第２栓部１８によって、注ぎ口３と通気孔６の両方を同時に施蓋（密封）することができ、また、図示省略するが、収納容器を斜めに傾けて注ぎ口３から液体を注出する際、吸入小筒部１０の下端部が液体に浸入して通気孔６から空気をスムーズに吸入でき、通気孔６から液体が漏れ出ることなく注ぎ口３から液体をスムーズに注出できる。
【００２１】
図４と図５に示すように、施蓋状態Ｐ０の副蓋体５の上端面１５と、主蓋体４の上端面１４と、後方折畳状態Ｍ０の第２ハンドル部２の上端面１２が、同一面状に配設され、同一面状の上端面１２，１４，１５が、水平面に対し傾斜角度αで後方下傾状として形成されている。傾斜角度αは、３°〜１０°に設定するのが好ましい。より好ましくは、６°〜８°に設定する。
図７に示すように、施蓋状態Ｐ０では、短筒部８と弾性帯体７が、副蓋体５の内側に収納されている。副蓋体５の上端面１５が後方下傾状であって、前縁側の高さが大きくなる為、主蓋体４の前縁４Ａ側に配設された短筒部８の高さ寸法Ｈを十分に確保できる。また、弾性帯体７が副蓋体５の枢着軸心Ｌ２に近い位置で確実に横倒Ｕ字状の弯曲姿勢に弾性変形して、曲げ復元モーメントＭを発生して、副蓋体５に上方へ開く力を付勢する。
また、図４に示すように、開蓋状態Ｐ１で、副蓋体５が鉛直状姿勢まで起立した際、上端面１５が、水平面に対し９０°より傾斜角度αだけ大きく傾むくこととなり、実際の副蓋体５の開閉角度θより大きく揺動して開いたように見える。なお、傾斜角度αが上記下限値未満であると、副蓋体５の前縁側の高さが確保できず、上限値を超えると、高さが過大となり好ましくない。同一面状の上端面１２，１４，１５が、ほぼフラットとなり、蓋全体の高さが最小限に抑えられ、かつ、外観上美しく形成されている。本発明に於て、同一面状とは、平面視に於ける上端面１２，１４，１５の全面積の内の８５％以上が同一平面上に配設されていることを示し、弾性帯体７の嵌入凸部２６が上端面１５に露出している箇所と、第１ハンドル部１の上面に設けた指入れ用凹部３５（図６参照）と、主蓋体４及び第２ハンドル部２と副蓋体５の隙間に於ける谷部と、の合計面積が、全面積の内の１５％未満に抑えられている。
【００２２】
なお、本発明は、設計変更可能であって、例えば、弾性帯体７の形状は自由に変更することができ、また、弾性帯体７の副蓋体５への取着方法は上述の実施形態に限定されない。また、第２ハンドル部２は、門型に形成されていても良い。
【００２３】
以上のように、本発明に係る収納容器の蓋は、後縁４Ｂ側に固定の第１ハンドル部１を有する主蓋体４と、該主蓋体４に枢着されて上方起立状態Ｍ１と後方折畳状態Ｍ０に揺動切替自在のアーチ型の第２ハンドル部２と、上記主蓋体４に枢着された副蓋体５とを、備え、上記副蓋体５は、上記主蓋体４の前後中間位置に枢着され、前方へ倒した施蓋状態Ｐ０から水平面に対し略鉛直姿勢まで起立した開蓋状態Ｐ１に揺動開閉自在としたので、冷蔵庫の下部に配設された引出し式の収納室に収納した場合であっても、第２ハンドル部２を上方起立状態Ｍ１として把持して、容易に取り出すことができる。また、第２ハンドル部２を使用しないときは、後方折畳状態Ｍ０とすれば邪魔になることもない。副蓋体５が開蓋状態Ｐ１で、略鉛直姿勢まで上方へ起立して、スムーズに液体を注出できる。
【００２４】
また、上記第２ハンドル部２の枢着軸心Ｌ１と上記副蓋体５の枢着軸心Ｌ２は、同一軸心上に配設されているので、部品点数が少なくなって、構造を簡素化でき、強度上も好ましく、主蓋体４の金型を容易に成形できる。
【００２５】
また、上記主蓋体４の前縁４Ａ側には、注ぎ口３が内設された上方突出状に注ぎ用短筒部８が形成され、かつ、該短筒部８の後方外端面に突き当たるように配設され上記副蓋体５を開く方向に弾発付勢する弾性帯体７を備え、上記施蓋状態Ｐ０で、上記短筒部８と横倒Ｕ字状の上記弾性帯体７が、上記副蓋体５の内側に収納され、上記施蓋状態Ｐ０の上記副蓋体５の上端面１５と、上記主蓋体４の上端面１４と、上記後方折畳状態Ｍ０の上記第２ハンドル部２の上端面１２が、水平面に対し傾斜角度αで後方下傾状として同一面状に配設されているので、短筒部８の高さ寸法Ｈを十分に確保でき、スムーズに液体を注出でき、かつ、弾性帯体７が副蓋体５の枢着軸心Ｌ２に近い位置で確実に横倒Ｕ字状の弯曲姿勢に弾性変形して、曲げ復元モーメントＭを発生でき、確実に副蓋体５を上方へ開くことができる。同一面状の上端面１２，１４，１５が、ほぼフラットとなり、高さが最小限に抑えられ、かつ、外観上美しく形成できる。
【符号の説明】
【００２６】
１  第１ハンドル部
２  第２ハンドル部
３  注ぎ口
４  主蓋体
４Ａ  前縁
４Ｂ  後縁
５  副蓋体
７  弾性帯体
８  短筒部
１２  上端面
１４  上端面
１５  上端面
Ｍ１  上方起立状態
Ｍ０  後方折畳状態
Ｐ０  施蓋状態
Ｐ１  開蓋状態
Ｌ１  枢着軸心
Ｌ２  枢着軸心
α  傾斜角度
【図１】
2017056968.tif 000003
【図２】
2017056968.tif 000004
【図３】
2017056968.tif 000005
【図４】
2017056968.tif 000006
【図５】
2017056968.tif 000007
【図６】
2017056968.tif 000008
【図７】
2017056968.tif 000009
【図８】
2017056968.tif 000010